(57)【要約】【課題】  ベビーシートの通気性を調節することができるとともに、外観が損なわれることがなく、さらに軽量化をも図ることができるようにしたベビーシートを得ること。【解決手段】  ベビーカー本体に装着されているベビーシート２０の背当て部における基板３０に多数の通気孔３１を形成し、上記基板３０の前面及び背面を被覆している外装部材３２ａ、３２ｂには、上記基板３０の多数の通気孔３１位置と対向する場所に通気性部材３４ａ、３４ｂにより構成された通気窓３３ａ、３３ｂを設けられている。上記基板３０の背面側における外装部材３２ａには、上記通気窓３３ａを必要に応じて遮蔽或いは開放する垂れ幕状の遮蔽部材３８が設けられている。【選択図】  図３
2006273243.tif 000002
【特許請求の範囲】
【請求項１】
ベビーカー本体に装着されているベビーシートの背当て部における基板に多数の通気孔を形成し、上記基板の前面及び背面を被覆している外装部材には、上記基板の多数の通気孔位置と対向する場所に通気性部材により構成された通気窓を設けるとともに、上記基板の背面側における外装部材には、上記通気窓を必要に応じて遮蔽或いは開放する遮蔽部材が設けられていることを特徴とする、ベビーカー用ベビーシート。
【請求項２】
通気窓はメッシュ生地により形成されていることを特徴とする、請求項１記載のベビーカ用ベビーシート。
【請求項３】
上記基板の背面側における外装部材には、上記通気窓を開放した遮蔽部材を収容するポケットが設けられていることを特徴とする、請求項１または２記載のベビーカー用ベビーシート。
【請求項４】
上記ポケットは上記基板の背面側における外装部材の裏面側に形成され、下端部に上記ポケットを開閉するファスナーが設けられていることを特徴とする、請求項３記載のベビーカー用ベビーシート。
【発明の詳細な説明】
【技術分野】
【０００１】
本発明は、ベビーカー用のベビーシートに係り、特に通気性を向上させたベビーシートに関する。
【背景技術】
【０００２】
一般に、幼児を散歩や買い物等のために屋外に連れ出す場合に使用するベビーカーにおいては、移動中等における幼児の保護のために、ベビーカー本体から突設された帯状の縫製品からなるベルトにより幼児の股部、腰部、及び肩部を拘束する５点式の拘束方法がとられている。
【０００３】
すなわち、図１は、上記５点式の幼児拘束用ハーネスが設けられた従来のベビーカーの概略構成を示す斜視図であって、ベビーカー本体１０は前輪１１を有する前脚１２、後輪１３を有する後脚１４、ほぼＵ字状に屈曲された手押し杆１５、左右１対のアームレスト１６、及び左右の前脚１２及び後脚１４をそれぞれ連結する連結杆１７、１８によって構成されている。
【０００４】
上記ベビーカー本体１０には、座板部及び背当て部を有するベビーシート２０が装着されており、上記ベビーシート２０上に幼児を座らせまたは寝かせて、ベビーカーを走行移動させることができる。
【０００５】
ところで、上記ベビーシート２０の座板部から、ベビーカー本体に固設された帯状の縫製品からなる股ベルト２１が突出されており、その股ベルト２１の先端部に５点方式の係止バックル２２が装着されている。また、上記座板部の両側からは、同様にベビーカー本体に固設された帯状の縫製品からなる左右の腰ベルト２３がそれぞれ突出されており、その先端に設けられたバックルが上記係止バックル２２に係合可能としてある。一方、背当て部の両側部からは、同様にベビーカー本体に固設された帯状の縫製品からなる左右の肩ベルト２５がそれぞれ突出されており、その先端部が上記係止バックル２２に連結されている。
【０００６】
しかして、このようなベビーカーに幼児を乗せて移動する場合には、幼児の両足の間に股ベルト２１が位置するように幼児をベビーシート２０の座板部上に乗せ、左右の腰ベルト２３の先端部に設けられたバックルを、股ベルト２１の先端部に装着されている５点方式の係止バックル２２に係合させて、幼児の腰部を拘束する。そして、背当て部の両側部に設けられ、先端部が係止バックル２２に取り付けられている左右の肩ベルト２５を幼児の肩に掛け、幼児がみだりにベビーシート上に立ち上がることがないように肩部の拘束を行い、ベビーカーの移動を行う。
【０００７】
このように、乳幼児は、ベビーカーに乗った場合にはベビーシートには寝かせられ、或いは背中がシートの背当て部に凭れかかった状態で座らせられているため、特に夏場等においては、暑さのため乳幼児が上記ベビーシートと接している部分に多量の汗をかくことがある。
【０００８】
そこで、ベビーカーのシートの通気性を向上させるようにしたものが提案されている。すなわち、座席を構成するベビーシートの背当て部における基板に多数の穴を形成するとともに、上記基板の背面側に多孔性の開閉板を摺動可能に設け、上記開閉板を摺動させて基板に設けられた穴を塞いで通気を遮断したり、或いは上記基板の穴と開閉板の穴とを合わせることにより通気性をよくするようにしたものが提案されている。
【特許文献１】特開２００４−２２９９１０号公報
【発明の開示】
【発明が解決しようとする課題】
【０００９】
ところが、上述のようなベビーシートにおいては多孔性の開閉板を摺動させることにより座席の通気性を調節することができるが、上記開閉板を摺動させるためのつまみが背当て部の背面側に露出しているために外観が損なわれる等の問題があり、さらにベビーシートの基板とともに摺動板が必要となり、また金属締結部品を必要とするためその分重量が嵩む等の問題がある。
【００１０】
本発明は、このような点に鑑み、座席の通気性を調節することができるとともに、外観が損なわれることがなく、さらに軽量化をも図ることができるようにしたベビーシートを得ることを目的とする。
【課題を解決するための手段】
【００１１】
請求項１に係る発明は、ベビーカー本体に装着されているベビーシートの背当て部における基板に多数の通気孔を形成し、上記基板の前面及び背面を被覆している外装部材には、上記基板の多数の通気孔位置と対向する場所に通気性部材により構成された通気窓を設けるとともに、上記基板の背面側における外装部材には、上記通気窓を必要に応じて遮蔽或いは開放する遮蔽部材が設けられていることを特徴とする。
【００１２】
請求項２に係る発明は、請求項１に係る発明において、通気窓はメッシュ生地により形成されていることを特徴とする。
【００１３】
また、請求項３に係る発明は、請求項１または２に係る発明において、上記基板の背面側における外装部材には、上記通気窓を開放した遮蔽部材を収容するポケットが設けられていることを特徴とする。
【００１４】
請求項４に係る発明は、請求項３に係る発明において、上記ポケットは上記基板の背面側における外装部材の裏面側に形成され、下端部に上記ポケットを開閉するファスナーが設けられていることを特徴とする。
【発明の効果】
【００１５】
本発明は、上述のように、ベビーシートの背当て部における基板に多数の通気孔を形成し、上記基板の前面及び背面を被覆している外装部材には、上記基板の多数の通気孔位置と対向する場所に通気性部材により構成された通気窓を設けるとともに、上記基板の背面側における外装部材には、上記通気窓を必要に応じて遮蔽或いは開放する遮蔽部材を設けたので、遮蔽部材に開閉により座席の通気性を調節することができるとともに、外観が損なわれることがなく、さらに軽量化をも図ることができる。
【発明を実施するための最良の形態】
【００１６】
以下、図２乃至図５を参照して本発明実施の形態を説明する。
【００１７】
図２は、本発明のベビーシート部の背面図であり、図３は図２のＡ−Ａ線に沿う断面拡大図であって、ベビーシート２０の背当て部における基板３０には、図３に示すように、乳幼児の背中に対応する位置に多数個の通気口３１が設けられている。
【００１８】
上記基板３０は袋状の外装部材３２内に挿入されており、基板３０の前面及び背面を被覆している外装部材３２ａ、３２ｂには、上記基板３０の多数個の通気口３１形成部と対応する位置に通気窓３３ａ、３３ｂが設けられ、その各通気窓３３ａ、３３ｂにはメッシュ生地のような通気性部材３４ａ、３４ｂが張設されている。上記基板３０の背面を被覆している背面側の外装部材３２ａの裏面側には、上記通気窓３３ａの上方位置にポケット布３５ａが縫着され、上記ポケット布３５ａと外装部材３２ａとによりポケット３５が形成されている。上記ポケット３５の下部に位置する上記外装部材３２ａには左右方向に延びる長穴３６が形成されており、その長穴３６には長穴３６を開閉する左右方向に延びるファスナー３７が装着されている。一方、上記外装部材３２ａの内面には、上記長穴３６の上縁部に、前記通気窓３３ａを覆うことができる垂れ幕状の遮蔽部材３８の上縁が縫着されており、上記垂れ幕状の遮蔽部材３８の下部内面及び外装部材３２ａの外面には、上記遮蔽部材３８を固定する左右２個のホック３９、３９が設けられている。
【００１９】
なお、図中符号４０は上記長穴３６の上縁部に縫着され、ファスナー３７を覆う飾り布であり、符号４１はリクライニング用ベルトである。
【００２０】
そこで、冬季等においてベビーシートの通気が必要でない場合には、図３に示すように、ファスナー３７を開けて長穴３６から遮蔽部材３８を引き出し、下方に垂らすことにより通気窓３３ａを遮蔽し、ホック３９により遮蔽部材３８を外装部材３２ａに固定する。しかして、上記遮蔽部材３８により通気窓３３ａを通る通気が遮断され、ベビーシート２０の保温性が保持される。図２に上記遮蔽部材３８により通気窓３３ａを遮蔽した状態の一部切り欠き背面図を示す。
【００２１】
一方、夏季等において乳幼児の発汗を防止するような場合には、図５に示すように、遮蔽部材３８の左右２個のホック３９、３９を外して上記遮蔽部材３８を引き上げてポケット３５内に収納してファスナー３７を閉じることにより、通気窓３３ａを開放するとともに、上記遮蔽部材３８をポケット３５内に格納する。しかして、外気が通気性部材３４ａ、基板３０の多数個の通気口３１、及び通気性部材３４ｂを経てベビーシート２０の前面側に流通し、乳幼児の背中等を快適な状態に保持することができる。
【００２２】
このように、本発明においては垂れ幕のような遮蔽部材３８により通気窓３３ａを遮蔽したり、或いは上記遮蔽部材３８を引き上げてポケット３５内に格納して通気窓３３ａを開放するようにしたので、ベビーシート２０の背面側に開閉板を摺動させるためのつまみ等が露出することがなく、外観が損なわれるようなことがなく、また基板３０の背面側に開閉板を必要とするものでもないので、重量の軽減化を図ることができる。
【図面の簡単な説明】
【００２３】
【図１】ベビーカーの概略構成を示す図。
【図２】本発明におけるベビーシートの遮蔽部材により通気窓を遮蔽した状態を示す背面図。
【図３】図２のＡ−Ａ線断面拡大図。
【図４】本発明におけるベビーシートの通気窓を解放した状態を示す背面図。
【図５】図４のＢ−Ｂ線断面拡大図。
【符号の説明】
【００２４】
２０  ベビーシート
３０  基板
３１  通気口
３２  外装部材
３３ａ、３３ｂ  通気窓
３４ａ、３４ｂ  通気性部材
３５  ポケット
３６  長穴  
３７  ファスナー
３８  遮蔽部材
【図１】
2006273243.tif 000003
【図２】
2006273243.tif 000004
【図３】
2006273243.tif 000005
【図４】
2006273243.tif 000006
【図５】
2006273243.tif 000007